(57)【特許請求の範囲】
【請求項１】
肥料を収納するホッパーと、
前記ホッパーの下方に配置されて、肥料を当該ホッパー側から所定量ずつ繰り出す繰出装置と、
前記繰出装置の下方に配置されて、この繰出装置と蓄圧装置とを接続するジョイントと、を備え、
前記繰出装置から繰り出される肥料を前記ジョイントに流入させて、前記蓄圧装置からの空気と混合し、空気流により施肥部まで運んで散布する施肥機において、
前記ジョイントの上部に形成したロート部の上部と、前記繰出装置下部との間に配置されて、前記ジョイントと前記繰出装置とを連通連結する接続部材を備え、
前記接続部材は、弾性体で構成され、その下部を前記ロート部の上部の形状に合わせて平面視長方形状に形成するとともに、その下端を前記ロート部の上端の外周を包み込む如く傘状に形成して、この下端の内側に前記ロート部の上端を嵌合可能としたことを特徴とする施肥機。
【発明の詳細な説明】
【０００１】
【発明の属する技術分野】
本発明は、空気流により肥料を運んで散布する施肥機の繰出装置とロート部の間を連結する構成に関する。
【０００２】
【従来の技術】
従来から田植機の座席後部や植付装置の苗載台上方に施肥機を配置して、該施肥機から繰り出した肥料をブロアやコンプレッサー等で得られる圧縮した空気の流れに載せて施肥位置まで搬送するようにした技術は公知となっている。この施肥機は繰出装置の上部にホッパーを配置し、繰出装置の下部にロートを連通し、該ロート下部は蓄圧装置（エアチャンバ）の吐出部と連通され、肥料と空気流を混合するように構成していた。例えば特開平１０−２９５１１７の技術である。
【０００３】
【発明が解決しようとする課題】
この施肥機を田植機の運転席の後部に設置する場合、ホッパーの上端高さは肥料を投入できる高さとしなければならないためあまり高くすることができず、また、後部ステップと同じ高さの位置に施肥機を載せて固定するため、下端位置も制限されている。このため繰出装置やその下部に配置するジョイントの上下長さはできるだけ短くなるように、繰出装置の下部とジョイントに一体的に形成したロートの上部とは一部重なるように嵌合して固定し、ジョイントの前部は蓄圧装置に嵌合して固定していた。
【０００４】
しかしこのような構成であると、ロートの部分に肥料が詰まったり、メンテナンスを行う場合には、ロートのみ脱着することはできず、繰出装置を取り外し、蓄圧装置からロートを引き抜くようにしてロートを外す構成としていたので、座席後部の狭い位置で作業しなければならず、大変面倒な作業となっていた。
そこで本発明は、簡単な構成で、蓄圧装置や繰出装置を外すことなく、ロートのみ取り外せるようにして、メンテナンス等を簡単に行えるようにしようとするものである。
【０００５】
【課題を解決するための手段】
本発明の解決しようとする課題は以上の如くであり、次にこの課題を解決するための手段を説明する。
即ち、請求項１においては、肥料を収納するホッパーと、前記ホッパーの下方に配置されて、肥料を当該ホッパー側から所定量ずつ繰り出す繰出装置と、前記繰出装置の下方に配置されて、この繰出装置と蓄圧装置とを接続するジョイントと、を備え、前記繰出装置から繰り出される肥料を前記ジョイントに流入させて、前記蓄圧装置からの空気と混合し、空気流により施肥部まで運んで散布する施肥機において、前記ジョイントの上部に形成したロート部の上部と、前記繰出装置下部との間に配置されて、前記ジョイントと前記繰出装置とを連通連結する接続部材を備え、前記接続部材は、弾性体で構成され、その下部を前記ロート部の上部の形状に合わせて平面視長方形状に形成するとともに、その下端を前記ロート部の上端の外周を包み込む如く傘状に形成して、この下端の内側に前記ロート部の上端を嵌合可能としたものである。
【０００６】
【発明の実施の形態】
次に、発明の実施の形態を説明する。
図１は田植機の全体側面図、図２は繰出装置の側面一部断面図、図３は繰出装置の正面一部断面図、図４は繰出装置からロートを取り外した状態を示す側面断面図、図５は接続部材の平面図である。
【０００７】
まず、施肥機を搭載した乗用田植機について、図１により説明する。
作業者が搭乗する走行機体である走行車１は、エンジン２を車体フレーム３中央部上方に搭載し、ミッションケース４前方にフロントアクスルケース５を介して水田走行用前輪６を支持すると共に、前記ミッションケース４の後部にリヤアクスルケース７を連設し、前記リヤアクスルケース７に水田走行用後輪８を支持している。そして、前記エンジン２上部に運転席９を取り付け、該運転席９の前方でボンネット１０後部に操向ハンドル１１を設けている。
【０００８】
また、植付部１５は苗載台１６並びに複数の植付爪１７等を具備し、前高後低の傾斜式苗載台１６を下部レール１８及びガイドレール１９を介して植付ケース２０に左右往復摺動自在に支持させると共に、一方向に等速回転させるロータリケース２１を前記植付ケース２０に支持させ、該ケース２１の回転軸心を中心に対称位置に一対の爪ケース２２を配設し、該爪ケース２２の先端に植付爪１７を設けている。また、前記植付ケース２０の前側にローリング支点軸２３を介して支持フレーム２４を設け、トップリンク２５及びロワリンク２６を含むリンク機構２７を介して走行車１後側に支持フレーム２４を連結させ、前記リンク機構２７を介して植付部１５を昇降させる昇降シリンダ２８をロワリンク２６に連結させている。
【０００９】
そして、前記前後輪６・８を走行駆動して移動すると同時に、左右に往復摺動させる苗載台１６から一株分の苗を植付爪１７によって取り出し連続的に苗植え作業を行うように構成している。また、前記運転席９の後部に施肥機３６を搭載し、植付部１５の下方には二条分均平用センターフロート３４、二条分均平用サイドフロート３５・３５を設けて植付作業と同時に施肥作業も行えるようにしている。
【００１０】
次に、前記施肥機３６について、その概略構成を説明する。
前記施肥機３６は、肥料を入れる施肥ホッパー３７と、肥料を一定量ずつ繰り出す肥料繰出部である肥料繰出装置３８と、該肥料繰出装置３８の下部に本発明の接続部材４３を介して接続するジョイント４４と、該ジョイント４４に接続するフレキシブル型搬送ホース４０と、該搬送ホース４０の他端に接続する作溝器３９と、前記ジョイント４４に圧縮空気を送る円筒形のエアチャンバ４２と、該エアチャンバ４２に圧縮空気を供給するターボブロワ型送風機４１から構成される。
【００１１】
前記作溝器３９は植付部１５のフロート３４・３５・３５の底部にそれぞれ配置され、肥料を落下させる溝を成形して施肥部を形成してする。前記エアチャンバ４２は肥料繰出装置３８の前部で運転席９の後部に横設され、該エアチャンバ４２の左右一側端には送風機４１が取り付けられ、該送風機４１はモータまたはエンジンからの動力によって駆動される。
【００１２】
そして、図２〜図５において、前記繰出装置３８は繰出ケース３１内に繰出ロール３２を回転自在に軸支し、該繰出ロール３２の外周には肥料を挿入できる凹部３２ａ・３２ａ・・・が一定間隔をおいて形成され、該繰出ロール３２の駆動軸がモータ等により回転駆動され、凹部３２ａに入った一定量の肥料をホッパー側から下方へ搬送して繰り出せるようにしている。
【００１３】
前記繰出ケース３１の下部には本発明の接続部材４３を介してジョイント４４が着脱可能に取り付けられている。即ち、前記繰出ケース３１の下部は開放され、下部周囲に接続部材４３の上部周囲を嵌合して漏れが生じないようにするための断面視「ｈ」状の嵌合部３１ａを形成している。
【００１４】
また、前記ジョイント４４は上部をラッパ状のロート部４４ａを形成し、下部を円筒状のパイプ部４４ｂとして合成樹脂等により一体的に構成し、該ロート部４４ａの下端とパイプ部４４ｂの前後中途部の上部を連通している。つまり、ロート部４４ａの軸心とパイプ部４４ｂの軸心は直交するように配設している。該パイプ部４４ｂの前部はシール部材５６を介してエアチャンバ４２に開口した吐出孔に挿入して連通し、パイプ部４４ｂの後端には搬送ホース４０を嵌着させ、前記送風機４１からの空気をエアチャンバ４２からジョイント４４を介してホース４０に送れるようにしている。
前記ロート部４４ａの上端はパイプ部４４ｂとの連通孔より大きな開口部とし、上端周囲に縁部４４ｃを形成して接続部材４３の下部をはめ込むように構成している。
【００１５】
前記接続部材４３はゴムまたは合成樹脂等の弾性体で構成され、該接続部材４３の上部は前記嵌合部３１ａに形状を合わせて嵌合できるようにし、下部はロート部４４ａの上部に形成した縁部４４ｃの形状に合わせて嵌合できるようにし、連結時において接続部材４３の上下で漏れが生じないようにしている。
即ち、接続部材４３の上端周囲４３ａは前記嵌合部３１ａに挿入できるようにし、該接続部材の４３のエアチャンバ４２側に位置する前部と左右両外側には縁部４３ｂを形成して断面視で凹形状とし、該縁部４３ｂの外側に平面視コ字状の固定プレート４５を嵌合して押さえつけるようにしている。該固定プレート４５の前端部には係止部を形成して繰出ケース３１の前端に設けたピン４６に係合し、固定プレート４５の両側は断面視Ｌ字状に構成して接続部材４３の縁部４３ｂを押さえつけて外れないようにし、密着して漏れが生じないようにしている。
また、接続部材４３の後部外側面には三角形状の凸部４３ｄを形成し、繰出ケース３１の後部に形成したフック部３１ｂに係合できるようにしている。
【００１６】
また、接合部材４３の下端は前記ロート部４４ａの上端に形成した縁部４４ｃに合わせて載置する平面部を形成し、その外側には縁部４４ｃの外周を包み込む如く傘状の縁部４３ｃを形成し、接続部材４３の下端にロート部４４ａの上端を嵌合させた状態では密着されて防水性を高める構成としている。
そして、繰出ケース３１の後面より後方へ延設した突片３１ｃにはワンタッチ係止具３３が取り付けられ、ジョイント４４より上後方へ突設した突片４４ｃに設けたピンに係合可能として、繰出ケース３１に接続部材４３を介してジョイント４４を取り付けてワンタッチ係止具３３で固定できるようにしている。
【００１７】
このような構成において、図４に示す如く、ワンタッチ係止具３３を外すことによって、ジョイント４４は後方へ引っ張ることによって、パイプ部４４ｂはシール部材５６から抜け、同時にロート部４４ａは接続部材４３が弾性変形することによって外すことができるのである。このようにして、繰出装置３８やエアチャンバ４２を外すことなくジョイント４４を容易に外すことができるのである。逆に取り付けるときには、パイプ部４４ｂ前端をエアチャンバ４２の孔に、ロート部４４ａは接続部材４３の縁部４３ｃにそれぞれ合わせて前方へ押し込むことにより容易に装着できるのである。そして、繰出装置３８及びエアチャンバ４２はそのままでジョイント４４を着脱できるため、大きなスペースを必要としないのである。
【００１８】
【発明の効果】
本発明は、以上のように構成したので、以下に示すような効果を奏する。
即ち、請求項１に示す如く、肥料を収納するホッパーと、前記ホッパーの下方に配置されて、肥料を当該ホッパー側から所定量ずつ繰り出す繰出装置と、前記繰出装置の下方に配置されて、この繰出装置と蓄圧装置とを接続するジョイントと、を備え、前記繰出装置から繰り出される肥料を前記ジョイントに流入させて、前記蓄圧装置からの空気と混合し、空気流により施肥部まで運んで散布する施肥機において、前記ジョイントの上部に形成したロート部の上部と、前記繰出装置下部との間に配置されて、前記ジョイントと前記繰出装置とを連通連結する接続部材を備え、前記接続部材は、弾性体で構成され、その下部を前記ロート部の上部の形状に合わせて平面視長方形状に形成するとともに、その下端を前記ロート部の上端の外周を包み込む如く傘状に形成して、この下端の内側に前記ロート部の上端を嵌合可能としたので、ジョイントを前後方向に引っ張ったり、押し込んだりするだけで、接続部材が変形して容易に着脱することができ、接続部材の有する弾性によって互いに密着して防水性及び気密性を確保することができる。そして、一方向に押し引き操作することにより着脱できるので、上下方向にスペースを取らず、繰出装置や蓄圧装置を外す必要もなく簡単にジョイントを取り外すことができる。また、着脱のためのスペースが小さくて済むため、ホッパーを小さくして着脱のスペースを設ける必要がなく、ホッパーの容量を十分に確保することができる。
【図面の簡単な説明】
【図１】  田植機の全体側面図。
【図２】  繰出装置の側面一部断面図。
【図３】  繰出装置の正面一部断面図。
【図４】  繰出装置からロートを取り外した状態を示す側面断面図。
【図５】  接続部材の平面図。
【符号の説明】
３８  繰出装置
４２  蓄圧装置
４３  接続部材
４４  ジョイント
４４ａ  ロート部
【図１】
0004659258.tif 000002
【図２】
0004659258.tif 000003
【図３】
0004659258.tif 000004
【図４】
0004659258.tif 000005
【図５】
0004659258.tif 000006